(57)【要約】【課題】この発明は利用者が寝返りを打ち易いようにしたクッション装置を提供することにある。【解決手段】矩形板状に形成されたクッション体２と、このクッション体を被覆した外装地３とを有し、クッション体は、長手方向の一端部の幅方向両端部を除く部分を形成した第１のクッション体４と、上記長手方向の一端部の幅方向両端部に設けられた第２のクッション体５とを有し、第２のクッション体は、上記第１のクッション体よりも荷重に対して変形し易い構成となっている。【選択図】      図３
2005253514.tif 000002
【特許請求の範囲】
【請求項１】
矩形板状に形成されたクッション体と、このクッション体を被覆した外装地とを有し、
上記クッション体は、長手方向の一端部の幅方向両端部を除く部分を形成した第１のクッション体と、上記長手方向の一端部の幅方向両端部に設けられた第２のクッション体とを有し、
上記第２のクッション体は、上記第１のクッション体よりも荷重に対して変形し易いことを特徴とするクッション装置。
【請求項２】
上記外装体は、上記第１のクッション体を被覆した第１の袋部と、上記第２のクッション体を被覆するとともに上記第１の袋部と連結された第２の袋部とを有し、この第２の袋部はファスナによって開閉可能に形成されていることを特徴とする請求項１記載のクッション装置。
【請求項３】
上記第２のクッション体は、伸縮性を有する布地によって形成された収容袋と、この収容袋に収容された粒子状樹脂材とによって形成されていることを特徴とする請求項２記載のクッション装置。
【請求項４】
上記第１のクッション体には無膜フォームが用いられていることを特徴とする請求項１記載のクッション装置。
【発明の詳細な説明】
【技術分野】
【０００１】
この発明はたとえばベッドのマットレスの上面に載せてベッドパッドとして用いることができるクッション装置に関する。
【背景技術】
【０００２】
たとえば、ベッドを利用して就寝する場合、利用者にとって寝心地が快適であるか否かはマットレスのクッション性能やこのマットレスの上面に載置されるクッション装置であるベッドパッドの性能などによって左右される。
【０００３】
利用者は就寝中には頻繁に寝返りを打つから、寝返りが打ち難い場合には寝心地が悪いということになる。また、身体を横に向けて就寝する利用者の場合、身体を横向きにすることで、肩の部分がマットレスに強く当たって圧迫されるため、マットレスが硬い場合には寝心地が低下することになる。
【０００４】
従来、たとえばスプリングユニットによって形成されたマットレスは全体がほぼ同じ硬さに形成されている。しかも、マットレスは、仰臥した利用者の身体のうち、臀部などのように重たい部分が大きく落ち込んで寝姿勢が損なわれないようにするため、全体を比較的硬めにし、背筋が大きく曲がることのない寝姿勢を維持できるようにしている。
【０００５】
そのため、就寝中に利用者が寝返りを打つため、身体を上向きの状態から横向きにするとき、肩の部分がマットレス内へ落ち込み難い。そのため、寝返りが打ち難いということがあったり、横向きの姿勢になると、肩の部分が強く圧迫されるなどのことがあった。  
そこで、マットレスの上面に載置されるクッション体としてのベッドパッドを、マットレスに比べて荷重に対し変形し易い構造、つまり柔らかくすることが考えられている。
【発明の開示】
【発明が解決しようとする課題】
【０００６】
ペッドパッドをマットレスに比べて柔らかくすれば、利用者が横向きの姿勢で就寝するよな場合、このベッドパッドの柔らかさによって肩の部分が圧迫され難くなるということがある。
【０００７】
しかしながら、ベッドパッド全体を利用者が横向きになったときに肩の部分が圧迫され難い柔らかさにすると、上向きの状態では身体全体、とくに臀部がベッドパッド内に大きく沈んでしまうため、寝返りを打つ際に身体の腰や上半身に力が入らず、横向きになり難いということがある。
【０００８】
しかも、横向きになった状態では肩の部分だけでなく、身体全体がベッドパッド内に沈む。そのため、肩の部分の圧迫度合があまり軽減されなかったり、横を向いた状態で身体が曲がり易くなるなどのことによって、寝心地があまり向上するというものでなかった。
【０００９】
この発明は、利用者が上向きの状態から横向きに寝返りを打つ際、比較的容易に寝返りを打つことができ、しかも横向きの状態では肩の部分が強く圧迫され難いようにしたクッション装置を提供することにある。
【課題を解決するための手段】
【００１０】
この発明は、矩形板状に形成されたクッション体と、このクッション体を被覆した外装地とを有し、
上記クッション体は、長手方向の一端部の幅方向両端部を除く部分を形成した第１のクッション体と、上記長手方向の一端部の幅方向両端部に設けられた第２のクッション体とを有し、
上記第２のクッション体は、上記第１のクッション体よりも荷重に対して変形し易いことを特徴とするクッション装置にある。
【００１１】
上記外装体は、上記第１のクッション体を被覆した第１の袋部と、上記第２のクッション体を被覆するとともに上記第１の袋部と連結された第２の袋部とを有し、この第２の袋部はファスナによって開閉可能に形成されていることが好ましい。
【００１２】
上記第２のクッション体は、伸縮性を有する布地によって形成された収容袋と、この収容袋に収容された粒子状樹脂材とによって形成されていることが好ましい。
【００１３】
上記第１のクッション体には無膜フォームが用いられていることが好ましい。
【発明の効果】
【００１４】
この発明によれば、第２のクッション体が第１のクッション体よりも荷重に対して変形し易いため、第１のクッション体によって身体が支持された利用者は、比較的横方向に回転し易く、しかも身体を横方向に回転させると、肩の部分によって押圧される第２のクッション体は容易に変形するため、利用者は寝返りが打ち易い。しかも、第２のクッション体は変形し易いため、横向きになった利用者の肩の部分を強く圧迫することがない。
【発明を実施するための最良の形態】
【００１５】
以下、この発明の一実施の形態を図面を参照して説明する。  
図１はこの発明のクッション装置としてのベッドパッド１を示す。図２は平面図、図３はベッドパッドの一部分の拡大断面図である。ベッドパッド１は図１に示すように矩形板状をなしていて、図３に示すようにクッション体２と、このクッション体２を被覆した外装地３とによって形成されている。
【００１６】
上記クッション体２は、ベッドパッド１の長手方向の一端部の幅方向両側部を除く部分を形成する第１のクッション体４と、上記長手方向の一端部の幅方向両側部を形成する第２のクッション体５とからなる。すなわち、利用者がクッション体２上に仰臥したとき、第２のクッション体２は利用者の両肩の部分に位置し、第１のクッション体４の一対の第２のクッション体５の間に位置する部分には利用者の上半身の背骨の部分が位置するようになっている。
【００１７】
図３に示すように、第１のクッション体５は比較的硬質なウレタンフォームなどの弾性材６と、この弾性材６の上下面に設けられたポリエステルなどの樹脂綿７とによって形成されている。上記弾性材６は無膜フォームが採用されている。無膜フォームとは、ポリウレタンフォームの気泡から薄い膜部分を除去し、骨格部分だけを残して通気性、通水性の向上が図られたものである。
【００１８】
上記第２のクッション体５は、第１のクッション体４に比べて荷重に対して変形し易い構造となっている。すなわち、伸縮性及び通気性の高い布地、たとえばニット生地などによって形成された収容袋７と、この収容袋７に収容された、たとえば円形や楕円形などの粒子状樹脂材８とによって形成されている。
【００１９】
それによって、第２のクッション体５は荷重を受けると、その荷重に応じて上記収容袋７が変形しながら内部に収容された粒子状樹脂材８が流動するようになっている。なお、粒子状樹脂材８は発泡ポリスチレンや発泡ネオプレンなどの材料によって形成されている。
【００２０】
上記外装地３は、上記第１のクッション体４を被覆した第１の袋部１１と、上記第２のクッション体５を被覆した第２の袋部１２とからなる。第１の袋部１１と第２の袋部１２とは、通気性を備えた綿などの第１の布地１３と、パイル地などのように保温性に優れた第２の布地１４とを重ね、これらの周縁部を縫合して袋状に形成されている。
【００２１】
第１の袋部１１の長手方向の一端部には、一対の第２の袋部１２が入り込む一対の凹部１６が幅方向両側に開放して形成されている。この凹部１６には上記第２の袋部１２が図３に示すように幅方向外側に位置する一辺を除く三辺を上記第１の袋部１１にテープ１７によって縫着して設けられる。
【００２２】
上記第２の袋部１２は、上記第１の袋部１１の幅方向外側に位置する一辺に設けられたファスナ１８によって開閉可能な構造となっている。それによって、粒子状樹脂材８を収容した収容袋７は上記第２の袋部１２に出し入れ可能となっている。
【００２３】
上記第２の袋部１２の内面には複数の第１の面状ファスナ１９が設けられ、上記第２の袋部１２の外面には第１の面状ファスナ１９に係着する第２の面状ファスナ２０が設けられている。したがって、第２の袋部１２に収容された第２のクッション体５は、第２の袋部１２内でずれ動くことなく保持されるとともに出し入れ可能となっている。
【００２４】
このように構成されたベッドパッド１は、たとえば図示しないベッドのマットレスの上面に敷き、シーツで覆われて使用される。利用者はベッドパッド１上に仰臥する場合、通常は第１のクッション体４によって支持された状態にある。その状態では、利用者の上半身は幅方向両端部に第２のクッション体５が設けられた第１のクッション体４によって支持されている。
【００２５】
第１のクッション体５を形成する弾性材６は比較的硬い材料、つまり第２のクッション体５に比べて荷重に対して変形し難い材料で形成されている。そのため、第１のクッション体５に支持された利用者の身体は大きく沈むことがない。
【００２６】
利用者が仰臥した状態から寝返りを打つ場合、第１のクッション体５に支持された身体は大きく沈んでいないため、身体の、とくに腰や肩の部分に力を入れ易いから、比較的楽に寝返りを打つことができる。
【００２７】
そして、図４に示すように、利用者Ｕが身体を横方向に回転させてゆくと、肩の部分によって第２のクッション体５が押圧される。第２のクッション体５は第１のクッション体４に比べて、荷重に対して圧縮変形し易い構造となっている。そのため、第２のクッション体５は利用者の肩に押圧されることで大きな反発力を生じることなく変形するため、そのことによっても寝返りが打ち易くなるばかりか、横向きになった利用者の肩の部分が強く圧迫されることもない。
【００２８】
利用者Ｕが横向きになると、肩の部分が第２のクッション体５を変形させて沈むため、利用者Ｕの上半身が上方に突き上げられることがない。そのため、横向きの状態であっても、背筋が大きく曲がることのない寝姿勢を保つことができるから、そのことによっても寝心地が向上する。
【００２９】
すなわち、クッション体２の長手方向一端部の幅方向両端部に、第１のクッション体４よりも変形し易い第２のクッション体５を設けたので、利用者が寝返りを打つ際、利用者の肩の部分は第２のクッション体５を変形させながら沈み易い。そのため、利用者は寝返りが打ち易いばかりか、横向きになった状態では肩の部分が圧迫され難いなどのことがある。
【００３０】
第１のクッション体４には無膜フォームからなる弾性材６を用い、上記第２のクッション体５は、通気性及び伸縮性を備えた収容袋７に粒子状樹脂材８を収容して形成されている。そのため、クッション体２は全体として良好な通気性を備えているから、身体が蒸れ難く、それによって細菌の発生による床擦れを防止することができる。
【００３１】
この発明は上記一実施の形態に限定されるものでなく、たとえば第２のクッション体としては粒子状樹脂材に代わり、ゲル物質、低反発ウレタンフォームなどのように、反発力が小さく、荷重に対して変形し易く、さらに復元性のある材料を用いてもよい。
【００３２】
また、この発明では、クッション装置をベッドパッドに適用した場合について説明したが、ベッドパッドだけでなく、マットレスに適用しても差し支えない。
【図面の簡単な説明】
【００３３】
【図１】この発明の一実施の形態のベッドパッドを示す斜視図。
【図２】同じくベッドパッドの平面図。
【図３】ベッドパッドの一部の拡大断面図。
【図４】ベッドパッド上で利用者が横向きになった状態の説明図。
【符号の説明】
【００３４】
２…クッション体、３…外装地、４…第１のクッション体、５…第２のクッション体、６…弾性材、７…収容袋、８…粒子状樹脂材、１１…第１の袋部、１２…第２の袋部。
【図１】
2005253514.tif 000003
【図２】
2005253514.tif 000004
【図３】
2005253514.tif 000005
【図４】
2005253514.tif 000006